(57)【要約】【課題】高齢者や操作に不慣れな利用者であっても、手書き文字などの画像データを容易に宛先に送信可能とすること。【解決手段】携帯端末装置１００は、電子メール作成処理部２１０ｃが、電子メールに添付するための画像の撮影を行う処理あるいは電子メールを作成する処理に対する実行命令を受け付け、画像の撮影を行う処理に対する実行命令を受け付けた場合には、この実行命令により撮影された画像データを電子メールに自動的に添付し、出力する。また、電子メールを作成する処理に対する実行命令を受け付けた場合には、電子メールを作成する処理を開始し、電子メールを作成する処理を開始した後に、電子メールに添付する画像の撮影にかかる処理を実行させ、画像データを添付した電子メールを宛先に出力する。【選択図】        図１
2008009557.tif 000002
【特許請求の範囲】
【請求項１】
撮影した画像のデータを電子メールに添付して出力する端末装置であって、
前記電子メールに入力される文章の一部または前記電子メールに入力される文章と同質となる手書き文字画像の撮影あるいは前記電子メールの作成に対する実行命令を受け付ける実行命令受付手段と、
前記実行命令受付手段によって前記手書き文字画像の撮影に対する実行命令を受け付けた場合に、当該実行命令により撮影された前記手書き文字画像のデータを前記電子メールに添付して出力し、前記実行命令受付手段によって前記電子メール作成に対する実行命令を受け付けた場合に、前記電子メールの作成を開始し、前記電子メールの作成を開始した後に、電子メールに添付する前記手書き文字画像の撮影を実行させ、撮影された手書き文字画像のデータを電子メールに添付して出力する電子メール出力手段と、
を備えたことを特徴とする端末装置。
【請求項２】
前記手書き文字画像のデータを調整し、当該手書き文字画像のデータに含まれる手書き文字を鮮鋭化する画像調整手段を更に備え、前記電子メール出力手段は、前記画像調整手段によって調整された手書き文字画像のデータを電子メールに添付して出力することを特徴とする請求項１に記載の端末装置。
【請求項３】
撮影した画像のデータを電子メールに添付して出力する電子メール作成プログラムであって、
前記電子メールに入力される文章の一部または前記電子メールに入力される文章と同質となる手書き文字画像の撮影あるいは前記電子メールの作成に対する実行命令を受け付ける実行命令受付手順と、
前記実行命令受付手順によって前記手書き文字画像の撮影に対する実行命令を受け付けた場合に、当該実行命令により撮影された前記手書き文字画像のデータを前記電子メールに添付して出力し、前記実行命令受付手順によって前記電子メール作成に対する実行命令を受け付けた場合に、前記電子メールの作成を開始し、前記電子メールの作成を開始した後に、電子メールに添付する前記手書き文字画像の撮影を実行させ、撮影された手書き文字画像のデータを電子メールに添付して出力する電子メール出力手順と、
をコンピュータに実行させることを特徴とする電子メール作成プログラム。
【請求項４】
前記手書き文字画像のデータを調整し、当該手書き文字画像のデータに含まれる手書き文字を鮮鋭化する画像調整手順を更にコンピュータに実行させ、前記電子メール出力手順は、前記画像調整手順によって調整された手書き文字画像のデータを電子メールに添付して出力することを特徴とする請求項３に記載の電子メール作成プログラム。
【請求項５】
撮影した画像のデータを電子メールに添付して出力する電子メール作成方法であって、
前記電子メールに入力される文章の一部または前記電子メールに入力される文章と同質となる手書き文字画像の撮影あるいは前記電子メールの作成に対する実行命令を受け付ける実行命令受付工程と、
前記実行命令受付工程によって前記手書き文字画像の撮影に対する実行命令を受け付けた場合に、当該実行命令により撮影された前記手書き文字画像のデータを前記電子メールに添付して出力し、前記実行命令受付工程によって前記電子メール作成に対する実行命令を受け付けた場合に、前記電子メールの作成を開始し、前記電子メールの作成を開始した後に、電子メールに添付する前記手書き文字画像の撮影を実行させ、撮影された手書き文字画像のデータを電子メールに添付して出力する電子メール出力工程と、
を含んだことを特徴とする電子メール作成方法。
【発明の詳細な説明】
【技術分野】
【０００１】
この発明は、撮影した画像のデータを電子メールに添付して出力する端末装置、電子メール作成プログラムおよび電子メール作成方法に関し、特に、操作に不慣れな利用者であっても、手書き文字等の画像データを容易に宛先に出力することができる端末装置、電子メール作成プログラムおよび電子メール作成方法に関するものである。
【背景技術】
【０００２】
近年、携帯電話が普及し、従来の若年層だけでなく高齢者を含む幅広い年齢層にまで携帯電話が使用されるようになってきている。また、携帯電話は多機能化され、単なる音声通話機能だけではなく、電子メールの送受信機能、カメラ機能等を備えており、例えば、カメラで撮影した画像のデータを電子メールに添付して所望の端末装置に送信することも可能になっている（例えば、特許文献１参照）。
【０００３】
また、電子メールを作成する場合に、手書きによる文字や絵をカメラで撮影し、撮影した画像のデータを電子メールに添付して宛先に送信するという試みもなされている（例えば、非特許文献１参照）。
【０００４】
【特許文献１】特開２００２−２８８０８２号公報
【非特許文献１】ＫＤＤＩ株式会社、”Ｗ４１ＳＡ”、[online]、[平成１８年６月１４日検索]、インターネット＜ＵＲＬ：http://au.kddi.com/seihin/kinobetsu/seihin/w41sa/＞
【発明の開示】
【発明が解決しようとする課題】
【０００５】
しかしながら、携帯電話の多機能化に伴って携帯電話の操作が複雑になり、上述した従来の携帯電話は、高齢者や操作の不慣れな利用者にとって使い勝手の悪いものとなっていた。
【０００６】
例えば、煩雑な操作を避けるために、手書きの文字を撮影して電子メールで送る場合であっても、カメラで撮影した画像のデータを一旦保存した後、電子メールを作成するアプリケーションを起動し、電子メールに添付する画像のデータを選択し、宛先に送信するという一連の複雑な操作を誤り無く行う必要があり、高齢者や操作の不慣れな利用者は容易に画像データを宛先に送信することができなかった。
【０００７】
すなわち、高齢者や操作に不慣れな利用者であっても、手書き文字などの画像データを容易に宛先に送信可能とすることが極めて重要な課題となっている。
【０００８】
この発明は、上述した従来技術による問題点を解消するためになされたものであり、高齢者や操作に不慣れな利用者であっても、手書き文字等の画像データを容易に宛先に送信することができる端末装置、電子メール作成プログラムおよび電子メール作成方法を提供することを目的とする。
【課題を解決するための手段】
【０００９】
上述した課題を解決し、目的を達成するため、本発明は、撮影した画像のデータを電子メールに添付して出力する端末装置であって、前記電子メールに入力される文章の一部または前記電子メールに入力される文章と同質となる手書き文字画像の撮影あるいは前記電子メールの作成に対する実行命令を受け付ける実行命令受付手段と、前記実行命令受付手段によって前記手書き文字画像の撮影に対する実行命令を受け付けた場合に、当該実行命令により撮影された前記手書き文字画像のデータを前記電子メールに添付して出力し、前記実行命令受付手段によって前記電子メール作成に対する実行命令を受け付けた場合に、前記電子メールの作成を開始し、前記電子メールの作成を開始した後に、電子メールに添付する前記手書き文字画像の撮影を実行させ、撮影された手書き文字画像のデータを電子メールに添付して出力する電子メール出力手段と、を備えたことを特徴とする。
【００１０】
また、本発明は、上記発明において、前記手書き文字画像のデータを調整し、当該手書き文字画像のデータに含まれる手書き文字を鮮鋭化する画像調整手段を更に備え、前記電子メール出力手段は、前記画像調整手段によって調整された手書き文字画像のデータを電子メールに添付して出力することを特徴とする。
【００１１】
また、本発明は、撮影した画像のデータを電子メールに添付して出力する電子メール作成プログラムであって、前記電子メールに入力される文章の一部または前記電子メールに入力される文章と同質となる手書き文字画像の撮影あるいは前記電子メールの作成に対する実行命令を受け付ける実行命令受付手順と、前記実行命令受付手順によって前記手書き文字画像の撮影に対する実行命令を受け付けた場合に、当該実行命令により撮影された前記手書き文字画像のデータを前記電子メールに添付して出力し、前記実行命令受付手順によって前記電子メール作成に対する実行命令を受け付けた場合に、前記電子メールの作成を開始し、前記電子メールの作成を開始した後に、電子メールに添付する前記手書き文字画像の撮影を実行させ、撮影された手書き文字画像のデータを電子メールに添付して出力する電子メール出力手順と、をコンピュータに実行させることを特徴とする。
【００１２】
また、本発明は、上記発明において、前記手書き文字画像のデータを調整し、当該手書き文字画像のデータに含まれる手書き文字を鮮鋭化する画像調整手順を更にコンピュータに実行させ、前記電子メール出力手順は、前記画像調整手順によって調整された手書き文字画像のデータを電子メールに添付して出力することを特徴とする。
【００１３】
また、本発明は、撮影した画像のデータを電子メールに添付して出力する電子メール作成方法であって、前記電子メールに入力される文章の一部または前記電子メールに入力される文章と同質となる手書き文字画像の撮影あるいは前記電子メールの作成に対する実行命令を受け付ける実行命令受付工程と、前記実行命令受付工程によって前記手書き文字画像の撮影に対する実行命令を受け付けた場合に、当該実行命令により撮影された前記手書き文字画像のデータを前記電子メールに添付して出力し、前記実行命令受付工程によって前記電子メール作成に対する実行命令を受け付けた場合に、前記電子メールの作成を開始し、前記電子メールの作成を開始した後に、電子メールに添付する前記手書き文字画像の撮影を実行させ、撮影された手書き文字画像のデータを電子メールに添付して出力する電子メール出力工程と、を含んだことを特徴とする。
【発明の効果】
【００１４】
本発明によれば、電子メールに入力される文章の一部または電子メールに入力される文章と同質となる手書き文字画像の撮影あるいは電子メールの作成に対する実行命令を受け付け、手書き文字画像の撮影に対する実行命令を受け付けた場合に、当該実行命令により撮影された手書き文字画像のデータを電子メールに添付して出力し、電子メール作成に対する実行命令を受け付けた場合に、電子メールの作成を開始し、電子メールの作成を開始した後に、電子メールに添付する前記手書き文字画像の撮影を実行させ、撮影された手書き文字画像のデータを電子メールに添付して出力するので、高齢者や操作に不慣れな利用者であっても、手書き文字などの画像データを容易に宛先に出力することができる。また、煩雑なタイピングを行う必要性がなくなり、高齢者や操作に不慣れな利用者に対する利便性を向上させることができる。
【００１５】
本発明によれば、手書き文字画像のデータを調整して、当該手書き文字画像のデータに含まれる手書き文字を鮮鋭化し、鮮鋭化した手書き文字画像のデータを電子メールに添付して出力するので、手書き文字を読み易くすることができる。
【発明を実施するための最良の形態】
【００１６】
以下に添付図面を参照して、この発明に係る端末装置、電子メール作成プログラムおよび電子メール作成方法の好適な実施の形態を詳細に説明する。
【実施例】
【００１７】
まず、本実施例にかかる携帯端末装置の特徴について説明する。本実施例にかかる携帯端末装置は、電子メールに添付するための画像（電子メールに入力される文章の一部あるいは電子メールに入力される文章と同質となる手書き文字等）の撮影を行う処理あるいは電子メールを作成する処理に対する実行命令を受け付ける。そして、電子メールに添付するための画像の撮影を行う処理に対する実行命令を受け付けた場合には、この実行命令により撮影された画像のデータを電子メールに自動的に添付し、この電子メールを宛先に出力する。
【００１８】
一方、電子メールを作成する処理に対する実行命令を受け付けた場合には、電子メールを作成する処理を開始し、電子メールを作成する処理を開始した後に、電子メールに添付する画像の撮影にかかる処理を実行させ、撮影された画像のデータを電子メールに自動的に添付し、この電子メールを宛先に出力する。
【００１９】
このように、本実施例にかかる携帯端末装置は、複雑な操作手順を必要とせず、臨機応変に画像データを電子メールに添付することができるので、高齢者や携帯端末装置の操作に不慣れな利用者であっても容易に画像データを電子メールに添付して宛先に送信することができる。また、電子メールに添付するための画像（手書き文字など）を容易に電子メールに添付して出力することもできるので、操作ボタンによるタイピングの煩雑さを解消することができる。
【００２０】
つぎに、本実施例にかかる携帯端末装置の構成について説明する。図１は、本実施例にかかる携帯端末装置の構成を示す機能ブロック図である。同図に示すように、この携帯端末装置１００は、アンテナ１１０と、無線通信処理部１２０と、操作キー１３０と、ディスプレイ１４０と、カメラ１５０と、マイク１６０と、スピーカ１７０と、音声通話処理部１８０と、入出力制御ＩＦ部１９０と、記憶部２００と、制御部２１０とを備えて構成される。なお、本実施例に示す携帯端末装置の構成に関する説明は、本発明に密接に関係する箇所のみを重点的に説明し、その他の構成にかかる説明は従来の携帯端末装置（携帯電話等）と同様であるため省略する。
【００２１】
このうち、アンテナ１１０は、電波の放射あるいは受信するためのアンテナである。無線通信処理部１２０は、アンテナ１１０を介して放射する電波を生成する処理や、アンテナ１１０を介して受信した電波から通信データを復元する処理などをおこなう集積回路である。
【００２２】
操作キー１３０は、文字や数字を入力するためのボタンである。ディスプレイ１４０は様々な情報の表示を行う液晶ディスプレイである。カメラ１５０は、画像を撮影し、撮影した画像のデータ（画像データ）を生成する装置である。本実施例では主に電子メールに添付するための画像である手書き文字を撮影するが、これに限定されるものではない。
【００２３】
マイク１６０は、音声通信時に音声を入力するためのマイクである。スピーカ１７０は、音声通話時に音声を出力するためのスピーカである。音声通話処理部１８０は、音声通話処理の制御を行う処理部である。具体的には、音声通話処理部１８０は、マイク１６０により入力された音声データを無線通信処理部１２０に送信し、音声データを電波に変換して放射するよう無線通信処理部１２０に要求する。また、音声通話処理部１８０は、無線通信処理部１２０が受信電波から復元した音声データを取得して、スピーカ１７０に出力する処理を行う。
【００２４】
入出力制御ＩＦ部１９０は、無線通信処理部１２０、操作キー１３０、ディスプレイ１４０、カメラ１５０、音声通話処理部１８０、記憶部２００、制御部２１０によるデータの入出力を制御する処理部である。
【００２５】
記憶部２００は、制御部２１０による各種処理に必要なデータおよびプログラムを記憶する記憶部であり、特に、本発明に密接に関連するものとしては、図１に示すように、アドレス帳データ２００ａと、画像データ２００ｂと、電子メールデータ２００ｃとを備える。
【００２６】
このうち、アドレス帳データ２００ａは、通話する際、あるいは、電子メールを送信する際に参照される電話番号や電子メールアドレスなどの個人情報を記憶したデータである。画像データは、カメラ１５０によって撮影された画像のデータおよび後述する画像調整部２１０ｂによって調整された画像データを記憶したデータである。
【００２７】
電子メールデータ２００ｃは、後述する電子メール作成処理部２１０ｃによって作成される電子メールや携帯端末装置１００が過去に受信した電子メールのデータである。
【００２８】
制御部２１０は、各種の処理手順を規定したプログラムや制御データを格納するための内部メモリを有し、これらによって種々の処理を実行する処理部であり、特に、本発明に密接に関連するものとしては、図１に示すように、電子メール送受信部２１０ａと、画像調整部２１０ｂと、電子メール作成処理部２１０ｃとを備える。
【００２９】
このうち、電子メール送受信部２１０ａは、電子メールの送受信処理にかかる制御を行う処理部である。具体的には、電子メール送受信部２１０ａは、電子メール作成処理部２１０ｃによって作成された電子メールを宛先に送信する。また、電子メール送受信部２１０ａは他の端末装置から携帯端末装置１００宛てに送信された電子メールを受信し、記憶部２００の電子メールデータ２００ｃに記憶する。
【００３０】
画像調整部２１０ｂは、カメラ１５０から電子メールに添付するための画像データを取得し、この画像データを調整する処理部である。具体的に、画像調整部２１０ｂは、画像データを取得し、取得した画像データに含まれる手書き文字を抽出する。手書き文字を抽出する手法はどのような手法を用いても構わないが、例えば、画像データ全体の輝度を調整することによって、画像データに含まれる手書き文字（電子メールに入力される文章の一部または電子メールに入力される文章と同質となり得る手書き文字）を抽出することができる。あるいは、画像データ全体の輝度を調整し、画像データに含まれる手書き文字の鮮鋭化を行う。なお、ここでは、画像調整部２１０ｂが手書きの文字を抽出する例を示したが、これに限定されるものではなく、手書きの絵などを同様の手法を用いて抽出することができる。
【００３１】
電子メール作成処理部２１０ｃは、画像調整部２１０ｂと協働して電子メールを作成する処理部である。具体的に、電子メール作成処理部２１０ｃは、電子メールに添付する画像の撮影あるいは電子メールを作成する処理に対する実行命令を操作キー１３０（操作キー１３０は、利用者によって操作される）から受け付ける。
【００３２】
そして、電子メール作成処理部２１０ｃは、電子メールに添付するための画像の撮影を行う処理に対する実行命令を受け付けた場合には、カメラ１５０を起動させ、カメラによって撮影された画像データを画像調整部２１０ｂによって調整させた後に、調整された画像データを電子メールに自動的に添付し、作成した電子メールを記憶部２００の電子メールデータ２００ｃに記憶する。
【００３３】
一方、電子メールを作成する処理に対する実行命令を受け付けた場合には、電子メールを作成する処理を開始し、この処理の後に、電子メールに添付する画像の撮影にかかる処理を実行させ（利用者にカメラ１５０を起動させ）、カメラ１５０によって撮影された画像データを画像調整部２１０ｂによって調整させた後に、調整された画像データを電子メールに自動的に添付し、作成した電子メールを記憶部２００の電子メールデータ２００ｃに記憶する。
【００３４】
このように、画像調整部２１０ｂおよび電子メール作成処理部２１０ｃが協働して、電子メールに画像データを臨機応変に添付することができるので、高齢者や操作に不慣れな利用者であっても容易に画像データを電子メールに添付して宛先に送信することができる。
【００３５】
続いて、電子メール作成処理部２１０ｃが行う処理の一例を図２〜図５を利用して説明する。ここで、図２は、最初にメール作成が選択された場合の処理手順を説明するための説明図であり、図３は、最初に簡単メール作成が選択された場合の処理手順を説明するための説明図であり、図４は、最初に写真撮影が選択された場合の処理手順を説明するための説明図であり、図５は、最初に接写が選択された場合の処理手順を説明するための説明図である。以下において、図２〜図５の順に説明を行う。
【００３６】
まず、最初にメール作成が選択された場合の処理手順について説明する。図２に示すように、電子メール作成処理部２１０ｃは、ディスプレイ１４０に表示される待ち受け画面（図２の（１）参照）において「メニュー」を選択された場合に、メニュー画面１を表示させ（図２の（２）参照）、メニュー画面１において「メールを使う」を選択された場合に、メニュー画面２を表示させる（図２の（３）参照）。
【００３７】
メニュー画面２において「メールを作成する」を選択された場合に、メール作成画面を表示させ（図２の（４）参照）、サブメニューを選択された場合に、サブメニューを表示させ（図２の（５）参照）、「添付データ」を選択された場合に、添付画面１を表示させる（図２の（６）参照）。
【００３８】
添付画面１において「追加する」を選択された場合に、添付画面２を表示させ（図２の（７）参照）、「手書きメモ」を選択された場合に、手書きメモを起動する（図２の（８）参照）。ここで、手書きメモを起動するとは、カメラ１５０が手書きの文字を撮影する処理に移行する旨を示す。
【００３９】
カメラ１５０によって手書き文字が撮影された場合に、画像調整部２１０ｂが画像データを調整すると共に、調整した画像データを表示させ（図２の（９）参照）、電子メール作成処理部２１０ｃは、画像調整部２１０ｂによって調整された画像データを電子メールに添付し、メール作成画面を表示させる（図２の（１０）参照）。このメール作成画面において、利用者によって宛先が指定され「送信する」を選択されると、電子メール送受信部２１０ａが、電子メール作成処理部２１０ｃによって作成され、かつ画像データが添付された電子メールを宛先に送信する。
【００４０】
つぎに、最初に簡単メールが選択された場合の処理手順について説明する。ここで、簡単メールは、電子メールを作成する細かな手順を省略し、電子メール作成を簡単化させたものである。図３に示すように、電子メール作成処理部２１０ｃは、ディスプレイ１４０に表示される待ち受け画面（図３の（１）参照）において「メニュー」を選択された場合に、メニュー画面１を表示させ（図３の（２）参照）、メニュー画面１において「メールを使う」を選択された場合に、メニュー画面２を表示させる（図３の（３）参照）。
【００４１】
メニュー画面２において「メールを作成する」を選択された場合に、添付選択画面を表示させ（図３の（４）参照）、「手書きメモ」を選択された場合に、手書きメモを起動する（図３の（５）参照）。ここで、手書きメモを起動するとは、カメラ１５０が手書きの文字を撮影する処理に移行する旨を示す。
【００４２】
カメラ１５０によって手書き文字が撮影された場合に、画面調整部２１０ｂが画像データを調整すると共に、調整した画像データを表示させ（図３の（６）参照）、電子メール作成処理部２１０ｃは、画像調整部２１０ｂによって調整された画像データを電子メールに添付し、宛先を入力する画面を表示させる（図３の（７）参照）。
【００４３】
そして、電話帳から宛先を選択された場合（あるいは直接宛先のアドレスを入力された場合）には、メール送信画面を表示される（図３の（８）参照）。このメール送信画面において送信を選択されると電子メール送受信部２１０ａが電子メールを宛先に送信する。
【００４４】
図２および図３で説明したように、メール作成を開始した後であっても、カメラで画像を撮影することができ、電子メールに画像データを送信することができるので、操作性を向上させることができる。また、撮影された画像データをあらためて選択することなく、自動で電子メールに添付されるので、画像データを電子メールにて効率よく宛先に送信することができる。
【００４５】
つぎに、最初に写真撮影が選択された場合の処理手順について説明する。図４に示すように、電子メール作成処理部２１０ｃは、ディスプレイ１４０に表示される待ち受け画面（図４の（１）参照）においてカメラが起動された場合（図示しないカメラ起動スイッチが操作された場合）に、カメラ起動画面を表示させ（図４の（２）参照）、接写モードが選択された場合（図示しない接写スイッチが操作された場合）に接写メニュー画面を表示させる（図４の（３−１）参照）。
【００４６】
接写メニュー画面において「手書きメモ」を選択された場合に、手書きメモを起動する（図４の（４）参照）。ここで、手書きメモを起動するとは、カメラ１５０が手書きの文字を撮影する処理に移行する旨を示す。なお、カメラ起動画面を表示された段階でサブメニューを表示させることもでき（図４の（３−２）参照）、このサブメニューにおいて「撮影モード選択」から「手書きメモ」を選択して手書きメモを起動することもできる。
【００４７】
カメラ１５０によって手書き文字が撮影された場合に、画像調整部２１０ｂが画像データを調整すると共に、撮影後のメニュー画面を表示させ（図４の（５）参照）、撮影後のメニュー画面において「メールで送る」が選択された場合に、確認画面を表示し（図４の（６）参照）、メール作成画面を表示する（図４の（７）参照）。このメール作成画面において、利用者によって宛先が指定され「送信する」を選択されると、電子メール送受信部２１０ａは、電子メール作成処理部２１０ｃによって作成され画像データが添付された電子メールを宛先に送信する。
【００４８】
つぎに、最初に接写が選択された場合の処理手順について説明する。図５に示すように、電子メール作成処理部２１０ｃは、ディスプレイ１４０に表示される待ち受け画面（図５の（１）参照）において接写モードが選択された場合（図示しない接写スイッチが操作された場合）に、接写メニューを表示させる（図５の（２）参照）。
【００４９】
接写メニューにおいて「手書きメモ」が選択された場合に、手書きメモを起動する（図５の（３）参照）。ここで、手書きメモを起動するとは、カメラ１５０が手書きの文字を撮影する処理に移行する旨を示す。
【００５０】
カメラ１５０によって手書き文字が撮影された場合に、画像調整部２１０ａが画像データを調整すると共に、撮影後のメニュー画面を表示させ（図５の（４）参照）、撮影後のメニュー画面において「メールで送る」が選択された場合に、確認画面を表示し（図５の（５）参照）、メール作成画面を表示する（図５の（６）参照）。このメール作成画面において、利用者によって宛先が指定され「送信する」を選択されると、電子メール送受信部２１０ｂは、電子メール作成処理部２１０ｃによって作成され画像データが添付された電子メールを宛先に送信する。
【００５１】
図４および図５で説明したように、カメラを起動させた場合に、カメラで撮影した画像データ（手書き文字）を調整し、自動的に電子メールに画像データ添付するので、操作性を向上させることができる。また、撮影された画像データをあらためて選択することなく、自動で電子メールに添付されるので、画像データを電子メールにて効率よく宛先に送信することができる。
【００５２】
上述してきたように、本実施例にかかる携帯端末装置１００は、電子メール作成処理部２１０ｃが、電子メールに添付するための画像の撮影を行う処理あるいは電子メールを作成する処理に対する実行命令を受け付け、画像の撮影を行う処理に対する実行命令を受け付けた場合には、この実行命令により撮影された画像データを画像調整部２１０ｂによって調整された後に電子メールに自動的に添付し、電子メール送受信部２１０ａが電子メールを宛先に出力する。
【００５３】
このように、画像撮影行う処理を起動させた場合に、カメラで撮影した画像データ（手書き文字）を調整し、自動的に電子メールに画像データ添付するので、操作性を向上させることができる。また、撮影された画像データをあらためて選択することなく、自動で電子メールに添付されるので、画像データを電子メールにて効率よく宛先に送信することができる。
【００５４】
また、携帯端末装置１００は、電子メール作成処理部２１０ｃが、電子メールに添付するための画像の撮影を行う処理あるいは電子メールを作成する処理に対する実行命令を受け付け、電子メールを作成する処理に対する実行命令を受け付けた場合には、電子メールを作成する処理を開始し、電子メールを作成する処理を開始した後に、電子メールに添付する画像の撮影にかかる処理を実行させ、撮影された画像データを画像調整部２１０ｂによって調整された後に電子メールに自動的に添付し、電子メール送受信部２１０ａが電子メールを宛先に出力する。
【００５５】
このように、電子メールの作成を開始した後であっても、カメラで画像を撮影することができ、電子メールに画像データを送信することができるので、操作性を向上させることができる。また、撮影された画像データをあらためて選択することなく、自動で電子メールに添付されるので、画像データを電子メールにて効率よく宛先に送信することができる。
【００５６】
また、携帯端末装置１００は、電子メールの本文の一部あるいは同質の手書き文字を撮影し、この手書き文字による画像データを容易に電子メールに添付して宛先に送信できるので、煩雑なタイピングを行う必要性がなくなり、高齢者や操作に不慣れな利用者に対する利便性を向上させることができる。
【００５７】
ところで、上記実施例で説明した各種の処理は、あらかじめ用意されたプログラムをコンピュータで実行することによって実現することができる。そこで、以下に、上記各種処理を実現するプログラムを実行するコンピュータの一例について説明する。
【００５８】
図６は、図１に示した携帯端末装置１００となるコンピュータのハードウェア構成を示す図である。このコンピュータは、アンテナ３０、無線通信回路３１、マイク３２、スピーカ３３、操作キー３４、カメラ３５、ＬＣＤ３６、フラッシュメモリ３７、ＲＡＭ（Random Access Memory）３８、ＲＯＭ（Read Only Memory）３９、ＣＰＵ（Central Processing Unit）４０をバス４１で接続して構成される。
【００５９】
ここで、アンテナ３０、無線通信回路３１、マイク３２、スピーカ３３、操作キー３４、カメラ３５、ＬＣＤ３６、フラッシュメモリ３７は、図１に示したアンテナ１１０、無線通信処理部１２０、マイク１６０、スピーカ１７０、操作キー１３０、カメラ１５０、ディスプレイ１４０、記憶部２００にそれぞれ対応する。
【００６０】
そして、ＲＯＭ３９には、携帯端末装置１００と同等の機能を発揮するプログラム、すなわち、電子メール送受信プログラム３９ａ、画像調整プログラム３９ｂ、電子メール作成プログラム３９ｃが記憶されている。
【００６１】
そして、ＣＰＵ４０が、電子メール送受信プログラム３９ａ、画像調整プログラム３９ｂ、電子メール作成プログラム３９ｃをＲＯＭ３９から読み出して実行することにより、電子メール送受信プロセス４０ａ、画像調整プロセス４０ｂ、電子メール作成プロセス４０ｃが機能するようになる。このメール送受信プロセス４０ａ、画像調整プロセス４０ｂ、電子メール作成プロセス４０ｃは、図１に示した制御部２１０に含まれる電子メール送受信部２１０ａ、画像調整部２１０ｂ、電子メール作成処理部２１０ｃにそれぞれ対応する。
【００６２】
また、フラッシュメモリ３７には、アドレス帳データ３７ａ、画像データ３７ｂ、電子メールデータ３７ｃが記憶される。このアドレス帳データ３７ａ、画像データ３７ｂ、電子メールデータ３７ｃは、図１に示した記憶部２００に含まれるアドレス帳データ２００ａ、画像データ２００ｂ、電子メールデータ２００ｃにそれぞれ対応する。
【００６３】
そして、ＣＰＵ４０は、これらデータをフラッシュメモリ３７に記憶するとともに、これらデータをフラッシュメモリ３７から読み出してＲＡＭ３８に記憶させ、ＲＡＭ３８に記憶されたアドレス帳データ３８ａ、画像データ３８ｂ、電子メールデータ３８ｃに基づいて各種データ処理を実行する。
【００６４】
さて、これまで本発明の実施例について説明したが、本発明は上述した実施例以外にも、特許請求の範囲に記載した技術的思想の範囲内において種々の異なる実施例にて実施されてもよいものである。
【００６５】
例えば、本実施例では、電子メールを受信する携帯端末装置として携帯電話を例に挙げて説明したが、本発明はこれに限定されるものではなく、電子メールの送受信機能を有するＰＤＡ（Personal Digital Assistant）やＰＨＳ（Personal Handy-phone System）などにも本発明を適応することができる。
【００６６】
また、本実施例において説明した各処理のうち、自動的に行えるものとして説明した処理の全部または一部を手動的に行うこともでき、あるいは、手動的に行われるものとして説明した処理の全部または一部を公知の方法で自動的に行うこともできる。
【００６７】
この他、上記文章中や図面中で示した処理手順、制御手順、具体的名称、各種のデータやパラメータを含む情報については、特記する場合を除いて任意に変更することができる。
【００６８】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００６９】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００７０】
（付記１）撮影した画像のデータを電子メールに添付して出力する端末装置であって、
前記電子メールに入力される文章の一部または前記電子メールに入力される文章と同質となる手書き文字画像の撮影あるいは前記電子メールの作成に対する実行命令を受け付ける実行命令受付手段と、
前記実行命令受付手段によって前記手書き文字画像の撮影に対する実行命令を受け付けた場合に、当該実行命令により撮影された前記手書き文字画像のデータを前記電子メールに添付して出力し、前記実行命令受付手段によって前記電子メール作成に対する実行命令を受け付けた場合に、前記電子メールの作成を開始し、前記電子メールの作成を開始した後に、電子メールに添付する前記手書き文字画像の撮影を実行させ、撮影された手書き文字画像のデータを電子メールに添付して出力する電子メール出力手段と、
を備えたことを特徴とする端末装置。
【００７１】
（付記２）前記手書き文字画像のデータを調整し、当該手書き文字画像のデータに含まれる手書き文字を鮮鋭化する画像調整手段を更に備え、前記電子メール出力手段は、前記画像調整手段によって調整された手書き文字画像のデータを電子メールに添付して出力することを特徴とする付記１に記載の端末装置。
【００７２】
（付記３）撮影した画像のデータを電子メールに添付して出力する電子メール作成プログラムであって、
前記電子メールに入力される文章の一部または前記電子メールに入力される文章と同質となる手書き文字画像の撮影あるいは前記電子メールの作成に対する実行命令を受け付ける実行命令受付手順と、
前記実行命令受付手順によって前記手書き文字画像の撮影に対する実行命令を受け付けた場合に、当該実行命令により撮影された前記手書き文字画像のデータを前記電子メールに添付して出力し、前記実行命令受付手順によって前記電子メール作成に対する実行命令を受け付けた場合に、前記電子メールの作成を開始し、前記電子メールの作成を開始した後に、電子メールに添付する前記手書き文字画像の撮影を実行させ、撮影された手書き文字画像のデータを電子メールに添付して出力する電子メール出力手順と、
をコンピュータに実行させることを特徴とする電子メール作成プログラム。
【００７３】
（付記４）前記手書き文字画像のデータを調整し、当該手書き文字画像のデータに含まれる手書き文字を鮮鋭化する画像調整手順を更にコンピュータに実行させ、前記電子メール出力手順は、前記画像調整手順によって調整された手書き文字画像のデータを電子メールに添付して出力することを特徴とする付記３に記載の電子メール作成プログラム。
【００７４】
（付記５）撮影した画像のデータを電子メールに添付して出力する電子メール作成方法であって、
前記電子メールに入力される文章の一部または前記電子メールに入力される文章と同質となる手書き文字画像の撮影あるいは前記電子メールの作成に対する実行命令を受け付ける実行命令受付工程と、
前記実行命令受付工程によって前記手書き文字画像の撮影に対する実行命令を受け付けた場合に、当該実行命令により撮影された前記手書き文字画像のデータを前記電子メールに添付して出力し、前記実行命令受付工程によって前記電子メール作成に対する実行命令を受け付けた場合に、前記電子メールの作成を開始し、前記電子メールの作成を開始した後に、電子メールに添付する前記手書き文字画像の撮影を実行させ、撮影された手書き文字画像のデータを電子メールに添付して出力する電子メール出力工程と、
を含んだことを特徴とする電子メール作成方法。
【００７５】
（付記６）前記手書き文字画像のデータを調整し、当該手書き文字画像のデータに含まれる手書き文字を鮮鋭化する画像調整工程を更に含み、前記電子メール出力工程は、前記画像調整工程によって調整された手書き文字画像のデータを電子メールに添付して出力することを特徴とする付記５に記載の電子メール作成方法。
【００７６】
（付記７）撮影した画像のデータを電子メールに添付して出力する端末装置に用いられる制御回路であって、
前記電子メールに入力される文章の一部または前記電子メールに入力される文章と同質となる手書き文字画像の撮影あるいは前記電子メールの作成に対する実行命令を受け付ける実行命令受付手段と、
前記実行命令受付手段によって前記手書き文字画像の撮影に対する実行命令を受け付けた場合に、当該実行命令により撮影された前記手書き文字画像のデータを前記電子メールに添付して出力し、前記実行命令受付手段によって前記電子メール作成に対する実行命令を受け付けた場合に、前記電子メールの作成を開始し、前記電子メールの作成を開始した後に、電子メールに添付する前記手書き文字画像の撮影を実行させ、撮影された手書き文字画像のデータを電子メールに添付して出力する電子メール出力手段と、
を備えたことを特徴とする制御回路。
【００７７】
（付記８）前記手書き文字画像のデータを調整し、当該手書き文字画像のデータに含まれる手書き文字を鮮鋭化する画像調整手段を更に備え、前記電子メール出力手段は、前記画像調整手段によって調整された手書き文字画像のデータを電子メールに添付して出力することを特徴とする付記７に記載の制御回路。
【産業上の利用可能性】
【００７８】
以上のように、本発明にかかる端末装置、電子メール作成プログラムおよび電子メール作成方法は、撮影した画像のデータを電子メールに添付して出力する端末装置に有用であり、特に、画像データを電子メールに添付する際の操作性を向上させる場合に適している。
【図面の簡単な説明】
【００７９】
【図１】本実施例にかかる携帯端末装置の構成を示す機能ブロック図である。
【図２】最初にメール作成が選択された場合の処理手順を説明するための説明図である。
【図３】最初に簡単メール作成が選択された場合の処理手順を説明するための説明図である。
【図４】最初に写真撮影が選択された場合の処理手順を説明するための説明図である。
【図５】最初に接写が選択された場合の処理手順を説明するための説明図である。
【図６】図１に示した携帯端末装置となるコンピュータのハードウェア構成を示す図である。
【符号の説明】
【００８０】
３０，１１０    アンテナ
３１    無線通信回路
３２，１６０    マイク
３３，１７０    スピーカ
３４，１３０    操作キー
３５，１５０    カメラ
３６    ＬＣＤ
３７    フラッシュメモリ
３７ａ，３８ａ，２００ａ  アドレス帳データ
３７ｂ，３８ｂ，２００ｂ  画像データ
３７ｃ，３８ｃ，２００ｃ  電子メールデータ
３８    ＲＡＭ
３９    ＲＯＭ
３９ａ  電子メール送受信プログラム
３９ｂ  画像調整プログラム
３９ｃ  電子メール作成プログラム
４０    ＣＰＵ
４０ａ  電子メール送受信プロセス
４０ｂ  画像調整プロセス
４０ｃ  電子メール作成プロセス
４１    バス
１００    携帯端末装置
１２０    無線通信処理部
１４０    ディスプレイ
１８０    音声通話処理部
１９０    入出力制御ＩＦ部
２００    記憶部
２１０    制御部
２１０ａ  電子メール送受信部
２１０ｂ  画像調整部
２１０ｃ  電子メール作成処理部
【図１】
2008009557.tif 000003
【図２】
2008009557.tif 000004
【図３】
2008009557.tif 000005
【図４】
2008009557.tif 000006
【図５】
2008009557.tif 000007
【図６】
2008009557.tif 000008